(57)【特許請求の範囲】
【請求項１】
自走式車両の車体上に、後端が開口する回転ドラムと、その回転ドラムの駆動用モータと、ｐＨ調整剤が貯溜された調整剤タンクと、濁水タンクとを搭載し、前記回転ドラムの後端開口に泥水の供給用ホッパと、粗粒固形分の排出用シュートとを接続し、前記調整剤タンク内のｐＨ調整剤を前記ホッパ内に供給するポンプを設け、前記回転ドラム内には、その回転ドラムと一体に回転してホッパから回転ドラム内に供給される泥水を水分および微粒固形分と粗粒固形分とに分離する筒状のスクリーンを組込み、そのスクリーンの内周および外周に沿って螺旋羽根を取付け、外側螺旋羽根間には前記スクリーンを通過して回転ドラムの底部に溜る水分および微粒固形分を前記濁水タンク内に供給するポンプを組込み、前記濁水タンク内に高分子凝集剤を供給する凝集剤供給手段と、濁水タンク内において固液分離された分離水の排水手段および泥状物の排出手段を設けた泥水処理装置。
【発明の詳細な説明】
【技術分野】
【０００１】
この発明は、主として基礎杭の建て込み時に発生する泥水の処理装置に関するものである。
【背景技術】
【０００２】
アースドリルあるいはボーリングマシンによって地面に縦孔を掘削し、その縦孔内に基礎杭を建て込むことは一般的に行なわれている。
【０００３】
上記のような基礎杭の建て込みに際しては地面を掘削するため、多量の泥水が発生する。この泥水は普通、廃棄泥水貯溜槽内に一旦貯溜され、その廃棄泥水貯溜槽から取り出されて、ｐＨ調整処理および減容化処理されて廃棄される。
【発明の開示】
【発明が解決しようとする課題】
【０００４】
ところで、廃棄泥水貯溜槽内の泥水の処理に際し、従来は、廃棄泥水貯溜槽内の泥水をバキュームポンプ車によって産業廃棄物処理業者の処理場まで搬送し、その処理場においてｐＨ調整処理および減容化処理して廃棄処理するようにしているため、処理コストが高いという問題があった。
【０００５】
この発明の課題は、基礎杭の建て込み時に発生する泥水を建設現場で効率よく無害化処理できるようにして処理コストの大幅な低減化を図ることができるようにした泥水処理装置を提供することである。
【課題を解決するための手段】
【０００６】
上記の課題を解決するために、この発明においては、自走式車両の車体上に、後端が開口する回転ドラムと、その回転ドラムの駆動用モータと、ｐＨ調整剤が貯溜された調整剤タンクと、濁水タンクとを搭載し、前記回転ドラムの後端開口に泥水の供給用ホッパと、粗粒固形分の排出用シュートとを接続し、前記調整剤タンク内のｐＨ調整剤を前記ホッパ内に供給するポンプを設け、前記回転ドラム内には、その回転ドラムと一体に回転してホッパから回転ドラム内に供給される泥水を水分および微粒固形分と粗粒固形分とに分離する筒状のスクリーンを組込み、そのスクリーンの内周および外周に沿って螺旋羽根を取付け、外側螺旋羽根間には前記スクリーンを通過して回転ドラムの底部に溜る水分および微粒固形分を前記濁水タンク内に供給するポンプを組込み、前記濁水タンク内に高分子凝集剤を供給する凝集剤供給手段と、濁水タンク内において固液分離された分離水の排水手段および泥状物の排出手段を設けた構成を採用したのである。
【０００７】
上記の構成から成る泥水処理装置においては、回転ドラムを一方向に回転させた状態において、廃棄泥水貯溜槽内の泥水を供給用ホッパからスクリーン内に供給すると共に、調整剤タンクから泥水中にｐＨ調整剤を供給して螺旋羽根の回転による混合および撹拌により泥水のｐＨを５〜７程度に調整すると共に、上記スクリーンによって泥水を水分および微粒固形分と粗粒固形分とに分離する。
【０００８】
スクリーンを通過して回転ドラム内の底部に溜る水分と微粒固形分を濁水タンク内に供給すると共に、凝集剤供給手段により濁水タンク内に高分子凝集剤を供給して、固液分離し、濁水タンク内の底部に沈殿、堆積する泥状物上の分離水を排水手段により排水し、泥状物を排出手段により濁水タンク内から取り出し、現場で集積させて仮置きし、乾燥させたのち、一般残土として処分する。
【０００９】
一方、スクリーン内に残る粗粒固形分は、回転ドラムの逆回転により、その回転ドラムと共に回転するスクリーン内の螺旋羽根により、回転ドラムの後端の開口から排出シュート内に送り込んで外部に取り出し、廃棄処理する。
【００１０】
ここで、ｐＨ調整剤としては泥水のｐＨを５〜７程度とするものであればよく、そのようなｐＨ調整剤として希硫酸を挙げることができる。
【発明の効果】
【００１１】
以上のように、この発明に係る泥水処理装置においては、自走式車両上において、泥水のｐＨ調整処理と、ｐＨ調整後に泥状物と分離水の分離処理とを行なうことができるため、建設現場において泥水を処理することができると共に、処理後の泥状物を一般残土として処分することができる。このため、バキュームポンプ車を用いて泥水を産業廃棄物処理場まで運び込む必要がなくなると共に、処理業者への委託業務を不要とすることができるので、泥水処理コストの大幅な削減を図ることができる。
【００１２】
また、スクリーン内に螺旋羽根を設けたことによって、回転ドラムの逆回転によってスクリーン内に残る粗粒固形分を排出用シュートに取り出して廃棄処理することができる。
【発明を実施するための最良の形態】
【００１３】
以下、この発明の実施の形態を図面に基づいて説明する。図１に示すように、自走式車両１の車体２上には、傾斜状に配置された回転ドラム３と、その回転ドラム３の回転駆動用の油圧モータ４とが搭載されている。
【００１４】
回転ドラム３は円筒部３ａの前後端に円錐筒部３ｂ、３ｃを設けた構成とされ、後側円錐筒部３ｃの外周には軌道輪５が設けられ、その軌道輪５が前記車体２上の支持台６で支持された回転可能な複数のガイドローラ７によって回転自在に支持されている。
【００１５】
図２に示すように、前側円錐筒部３ｂは閉塞端を有し、その閉塞端に設けられた軸８が軸受９によって回転自在に支持され、その軸９に前記油圧モータ４が接続されている。
【００１６】
一方、後側円錐筒部３ｃは後端に開口１０を有し、その開口１０に泥水の供給用ホッパ１１の下端出口が臨んでいると共に、粗粒固形分の排出用シュート１２の上部開口が臨んでいる。
【００１７】
排出用シュート１２は上部排出用シュート１２ａと下部排出用シュート１２ｂとに分割され、上部排出用シュート１２ａは固定の支持とされ、一方、下部排出用シュート１２ｂは上部排出用シュート１２ａの下端出口を中心に回動可能とされて下端の出口の位置を水平面上で変更し得るようになっている。
【００１８】
回転ドラム３の内部には筒状のスクリーン１３が回転ドラム３と同心上に設けられている。スクリーン１３は、図３および図４に示すように、軸方向に延びる複数のバー１３ａを円周方向に間隔をおいて設け、そのバー１３ａの外側に断面形状が略３角形の線材１３ｂを螺旋状に巻付け、その線材１３ｂの螺旋部間に微小な間隙１５を設けた構成とされている。実施の形態では上記間隙１５の大きさを０．５〜１．０ｍｍの範囲としている。
【００１９】
上記スクリーン１３は供給用ホッパ１１の下端出口から排出される泥水を受け、その泥水を水分および微粒固形分と粗粒固形分とに分離するようになっている。
【００２０】
なお、スクリーン１３は上記の構造のものに限定されず、泥水を水分および微粒固形分と粗粒固形分とに分離することができるようにしたものであればよい。
【００２１】
図２に示すように、スクリーン１３は、その外周に沿って取付けた螺旋羽根１６により回転ドラム３に取付けられて回転ドラム３と一体に回転するようになっている。また、スクリーン１３の内側にはその内周に沿って螺旋羽根１７が取付けられている。この内側の螺旋羽根１７はスクリーン１３の外側に設けられた前記螺旋羽根１６と同方向の螺旋とされている。
【００２２】
車体２上には、調整剤タンク１８と、濁水タンク１９が搭載され、調整剤タンク１８内には泥水のｐＨを５〜７程度に調整するｐＨ調整剤が充填されている。ｐＨ調整剤として、ここでは希硫酸を用いるようにしている。
【００２３】
調整剤タンク１８内のｐＨ調整剤は、ポンプ２０の駆動によって供給管２１内に送り込まれ、その供給管２１の排出端２１ａから供給用ホッパ１１内に供給されるようになっている。
【００２４】
回転ドラム３内には、前側円錐筒部３ｂ内においてスクリーン１３の外側の螺旋羽根１６間にポンプ２２が組込まれている。ポンプ２２の吐出口に接続された供給管２３はスクリーン１３を貫通して内側の螺旋羽根１７の内側および供給用ホッパ１１の出口中心部に挿通され、その供給用ホッパ１１から外部に引き出されて濁水タンク１９に接続されている。
【００２５】
上記供給管２３は２分割され、その分割端は供給用ホッパ１１の出口中心部に配置されたロータリジョイント２４を介して連結されて、回転ドラム３と共にポンプ２２が自在に回転し得るようになっている。
【００２６】
図５に示すように濁水タンク１９には、その内部に凝集剤を供給する凝集剤供給手段２５が接続されている。凝集剤供給手段２５は、濁水タンク１９の上側に水溶性の高分子凝集剤が充填された凝集剤タンク２６を設け、その凝集剤タンク２６内の高分子凝集剤中にポンプ２７を設け、このポンプ２７の吐出口と濁水タンク１９内とをパイプ２８で連通し、上記ポンプ２７の駆動によって凝集剤タンク２６内の高分子凝集剤を濁水タンク１９内に送り込むようにしている。
【００２７】
濁水タンク１９内には、回転ドラム３内に組込まれたポンプ２２の駆動によってスクリーン１３を通過した水分と微粒固形分とが供給され、その水分と微粒固形分は凝集剤供給手段２５から送られる高分子凝集剤によって泥状の固形分（泥状物）と清澄水（分離水）とに分離され、分離水は排水手段３０によって排水され、固形分は排出手段３１によって外部に排出される。
【００２８】
排水手段３０は濁水タンク１９内にポンプ３２を組込み、そのポンプ３２の吐出口に排水管３３を接続し、上記ポンプ３２の駆動によって濁水タンク１９内の分離水を排水管３３から排水するようにしている。
【００２９】
排出手段３１は濁水タンク１９の下部に設けられた排出口３４にポンプ３５の吸込口を接続し、そのポンプ３５の吐出口に排出管３６を接続し、上記ポンプ３５の駆動によって泥状物を排出管３６から排出するようにしている。
【００３０】
図１および図２において、４０は図示省略した廃棄泥水貯溜槽と供給用ホッパ１１とを連通させる泥水供給管を示し、その泥水供給管４０には図示省略したポンプが接続され、そのポンプの駆動によって廃棄泥水貯溜槽内の泥水が供給用ホッパ１１内に供給される。
【００３１】
また、図１において、４２は各種ポンプの駆動モータの駆動源であるジェネレータを示す。
【００３２】
実施の形態で示す泥水処理装置は上記の構造から成り、廃棄泥水貯溜槽内に貯溜された泥水の処理に際しては、油圧モータ４の駆動により回転ドラム３を一方向に回転し、廃棄泥水貯溜槽内の泥水を泥水供給管４０から供給用ホッパ１１内に送り込むと共に、図１に示すポンプ２０の駆動によって調整剤タンク１８内のｐＨ調整剤を供給管２１から供給用ホッパ１１内に供給する。
【００３３】
供給用ホッパ１１内に供給された泥水とｐＨ調整剤は、その供給用ホッパ１１の下端出口からスクリーン１３内に供給され、スクリーン１３によって水分および微粒固形分と粗粒固形分とに分離されると共に、スクリーン１３により捕捉された粗粒固形分はスクリーン１３の内側に取付けた螺旋羽根１７の回転による送り作用によって回転ドラム３の閉塞端に向けて送られる。
【００３４】
また、泥水とｐＨ調整剤は、スクリーン１３の外側および内側に設けられた螺旋羽根１６、１７の回転により混合、撹拌されてｐＨが５〜７程度にｐＨ調整される。
【００３５】
スクリーン１３を通過した水分および微粒固形分は回転ドラム３の底部に溜り、この水分および微粒固形分は、回転ドラム３と共に回転するポンプ２２がドラム底部に貯溜する水分および微粒固形分中を旋回するときそのポンプ２２により吸引されて濁水タンク１９に送り込まれる。
【００３６】
なお、回転ドラム３内に所定量の泥水とｐＨ調整剤を供給して回転ドラム３を所定時間回転させ、撹拌羽根１６、１７の回転による混合、撹拌により泥水をｐＨ調整処理したのち、ポンプ２２が回転ドラム３内の底部に配置される位置で回転ドラム３を停止させ、その停止状態でポンプ２２を駆動して、スクリーン１３を通過した水分と微粒固形分を連続して濁水タンク１９内に送り込むようにしてもよい。
【００３７】
濁水タンク１９内に水分および微粒固形分が供給されると、凝集剤供給手段２５の作動によって凝集剤タンク２６内の高分子凝集剤が濁水タンク１９内に送り込まれ、その高分子凝集剤によって水分および微粒固形分は固液分離され、濁水タンク１９の底部に泥状物が堆積し、その泥状物上に分離水が貯溜する。
【００３８】
このとき、泥状物および分離水は回転ドラム３内において予めｐＨ調整されているため、分離水は下水等に放流することが可能であり、また、泥状物は一般残土と同様の取扱いとすることができる。
【００３９】
そこで、濁水タンク１９内に所定量の分離水が貯溜されると、排水手段３０のポンプ３２を駆動して排水管３３から排水する。
【００４０】
一方、泥状物は排出手段３１のポンプ３５を駆動して排出管３６から排出し、現場に集積、仮置きして乾燥させてから一般残土として処分する。
【００４１】
このように、実施形態で示す泥水処理装置においては、自走式車両１上において泥水のｐＨ調整処理と、その調整後に固液分離処理を行なうことができるので、建設現場において基礎杭の建て込み時に発生する泥水の処理を行なうことができると共に、処理後の泥状物と分離水の廃棄処理を行うことができる。
【００４２】
このため、バキュームポンプ車を用いて泥水を廃棄物処理場まで運び込む必要がなくなると共に、処理業者への委託業務を不要とすることができるので、処理コストを大幅に削減することができる。
【００４３】
また、スクリーン１３内に残る粗粒固形分も回転ドラム３を逆回転することにより内側螺旋羽根１７の回転による送り作用によって回転ドラム３の後端の開口１０から排出用シュート１２内に取り出して廃棄処理することができる。
【００４４】
さらに、スクリーン１３の外側および内側に螺旋羽根１６、１７を設けたことによって、泥水とｐＨ調整剤とを混合、撹拌することができるため、泥水をきわめて効果的にｐＨ調整処理を行なうことができる。
【図面の簡単な説明】
【００４５】
【図１】この発明に係る泥水処理装置の実施形態を示す正面図
【図２】図１の回転ドラム部を示す断面図
【図３】スクリーンの一部分を示す断面図
【図４】図３のIV−IV線に沿った断面図
【図５】濁水タンク部を示す断面図
【符号の説明】
【００４６】
１  自走式車両
２  車体
３  回転ドラム
４  モータ
１０  開口
１１  供給用ホッパ
１２  排出用シュート
１３  スクリーン
１６、１７  螺旋羽根
１８  調整剤タンク
１９  濁水タンク
２０  ポンプ
２２  ポンプ
２５  凝集剤供給手段
３１  排出手段
【図１】
0003717906.tif 000002
【図２】
0003717906.tif 000003
【図３】
0003717906.tif 000004
【図４】
0003717906.tif 000005
【図５】
0003717906.tif 000006